(57)【特許請求の範囲】
【請求項１】
ルアー本体に取り付けられるルアー用シンカであって、
前記ルアー本体の頭部を左右方向に貫通する柱状の本体部と、
前記本体部の両端にそれぞれ設けられた装飾部と
を備え、
前記本体部の中央付近に貫通する孔を備えた、
シンカ。
【請求項２】
前記装飾部は魚または虫の目に似せて形成されている、請求項１に記載のシンカ。
【請求項３】
前記本体部は角柱状部材である、請求項１または２に記載のシンカ。
【請求項４】
ソフトベイト型ルアーであって、
弾性を有するルアー本体と、
前記ルアー本体の頭部を左右方向に貫通する柱状の本体部と、前記本体部の両端にそれぞれ設けられた装飾部とを有するシンカと
を備え、
前記シンカは中央付近に前記ルアー本体の頭部から尾部方向に貫通する孔を有している、
ルアー。
【請求項５】
前記ルアー本体は魚または虫に似せて成形されており、
前記シンカの装飾部は魚または虫の目に似せて形成されている、請求項４に記載のルアー。
【請求項６】
前記シンカの本体部は角柱状部材である、請求項４または５に記載のルアー。
【発明の詳細な説明】
【０００１】
【発明の属する技術分野】
本発明は、ルアーに用いるシンカ（おもり）及び、このシンカを用いたルアーに関する。
【０００２】
【従来の技術】
従来のソフトベイトルアーは、例えば、小魚やミミズ，ザリガニ等の小さな虫に似せて形成されたゴム製のルアー本体を有するものであり、使用する際にフック（釣針）に取り付けられ、さらにシンカを取り付けて使用される。このソフトベイトルアーでは、弾力性のあるゴム製のルアー本体が水中で生き餌の様に漂い、魚をおびき寄せる。
【０００３】
また、従来のプラグ型ルアーは、外形を魚体に似せたプラスチック製のルアー本体と、ルアー本体内部の腹部付近に配置されたシンカと、ルアー本体頭部に設けられたライン（釣糸）を結束するためのアイ（止め輪）と、アイの下方に設けられ水中での泳動姿勢を安定させるために斜め下方に突出したリップとを有する。このプラグ型ルアーでは、ルアー本体内の腹部付近に配置されたシンカが、ルアー全体のバランスを調整してキャスティング後の水中での泳動姿勢を安定化させる。そして、ルアーが魚のように振る舞って魚をおびき寄せる。
【０００４】
【発明が解決しようとする課題】
前記従来のソフトベイトルアーでは、ユーザが自らフックやシンカ等をセットしリグ（仕掛け）を作る必要があり、このリグの作成に手間がかかる。また、着水後の引き寄せ時において、ソフトベイトルアーを速いピッチで生き物のように泳動させると、フックからソフトベイトルアーがはずれてしまう場合がある。
【０００５】
また、従来のプラグ型ルアーでは、ルアー本体内にシンカが配置されており、ルアー全体の軸方向への中心線付近でルアー全体のバランスをとっているので、ルアーの左右方向でのバランスが十分にとりきれない場合がある。本発明の課題は、リグの作成が容易なソフトベイトルアー用シンカ及びそれを用いたルアーを提供することにある。
【０００６】
本発明の別の課題は、フックがはずれにくいソフトベイトルアー用シンカ及びそれを用いたルアーを提供することにある。また、本発明の別の課題は、左右のバランスを十分にとることができるルアー養親か及びそれを用いたルアーを提供することにある。
【０００７】
【課題を解決するための手段】
発明１にかかるシンカは、ルアー本体に取り付けられるルアー用シンカであって、ルアー本体の頭部を左右方向に貫通する柱状の本体部と、本体部の両端にそれぞれ設けられた装飾部とを備えている。また、このシンカは、本体部の中央付近に貫通する孔を備えている。
【０００８】
この場合には、ルアー本体の左右方向に挿通したシンカがルアー本体の左右のバランスを調整するので、泳動姿勢が安定し、より魚に強くアピールする。また、左右方向に貫通しているので、ルアー本体からはずれにくく壊れにくい。また、ソフトベイトルアーにこのシンカを用いる場合、ソフトベイトルアーにフックを取り付けるときに、シンカに設けられた孔にフックを挿通させつつフックを取り付ける。この結果、シンカとフックとが互いにずれてしまうの抑えるので、仕掛けが壊れにくく、フックがはずれにくい。また、泳動姿勢も安定する。
【０００９】
発明２にかかるシンカは、発明１のシンカであって、装飾部は魚または虫の目に似せて形成されている。
【００１０】
この場合には、魚または虫の目に似せて形成されているシンカの装飾部が、ルアーをより生き餌のように見せて、魚に強くアピールする。また、装飾部はシンカの一部であるので、ルアーからはずれ落ちてしまうようなこともない。
【００１１】
発明３にかかるシンカは、発明１または２のシンカであって、本体部は角柱状部材である。
【００１２】
この場合には、シンカの本体部が角柱状であるので回転しにくく、破損しにくい。
【００１３】
発明４にかかるルアーは、ソフトベイト型ルアーであって、弾性を有するルアー本体と、ルアー本体の頭部を左右方向に貫通する柱状の本体部と、本体部の両端にそれぞれ設けられた装飾部とを有するシンカとを備えている。また、シンカは中央付近にルアー本体の頭部から尾部方向に貫通する孔を有している。
【００１４】
この場合には、ルアー本体の左右方向に挿通したシンカがルアー本体の左右のバランスを調整して泳動姿勢を安定させる。この結果、魚により強くアピールできる。また、ソフトベイトルアーにフックを取り付ける際に、シンカに設けられた孔にフックを挿通させつつフックを取り付けて使用する。この結果、シンカとフックとが互いにずれてしまうの抑えるので、仕掛けが壊れにくく、フックがはずれにくい。また、泳動姿勢も安定する。
【００１５】
発明５にかかるルアーは、発明４のルアーであって、ルアー本体は魚または虫に似せて成形されており、シンカの装飾部は魚または虫の目に似せて形成されている。
【００１６】
この場合には、魚または虫の目に似せて形成された装飾部が、ルアーをより生き餌のようにみせて、魚に強くアピールする。
【００１７】
発明６にかかるルアーは、発明４または５のルアーであって、シンカの本体部は角柱状部材である。
【００１８】
この場合には、シンカの本体部が角柱状であるので回転しにくく壊れにくい。
【００１９】
【発明の実施の形態】
［第１実施形態］
以下、本発明の第１実施形態について、図面を参照しつつ説明する。
図１及び図２に示すように、本発明の第１実施形態を採用したソフトベイトルアーは、小魚状に形成されたゴム製のルアー本体１と、両端部がルアー本体１から左右に突出するようにルアー本体１の頭部に挿入されているシンチュウ製シンカ２とを有している。
【００２０】
ルアー本体１は、例えば、ポリクロロプレンゴム，ポリイソプレンゴム等からなる弾性を有するゴム部材である。水中で目立ち魚にアピールするように、様々な色や模様が施されている。
【００２１】
シンカ２は、六角柱状の柱状部１１と、柱状部１１の両端に設けられルアー本体１から突出している１対の装飾部１２ａ，１２ｂとを有している。装飾部１２は魚の目に似せて形成されており、ルアー本体１の外観をより魚に似せている。このシンカ２は、シンチュウのほかにも、例えば、ステンレス合金，鉛，タングステン合金等を用いてもよい。また、図３に示すように、柱状部１１の一端にはネジ部１１ａが設けられており、片方の装飾部１２ｂの背面側中央には、ネジ部１１ａと螺号可能なナット部１２ｃが形成されている。そして、このネジ部１１ａは先端側が鋭角に形成されている。
【００２２】
このシンカ２は、釣りを開始する際にユーザがルアー本体１に取り付けられる部材である。片方の装飾部１２ｂを柱状部１１から取り外しネジ部１１ａが露出した状態で、柱状部１１をネジ部１１ａ側からルアー本体１の所定の位置に差し込んで貫通させた後、装飾部１２ｂを柱状部１１に取り付けて、シンカ２をルアー本体１に固定する。その後、図１に示すように、ラインＬの一端をフック３の連結部３ａに結んで、フック３の針先側をルアー本体１の頭部側から刺込んで、フック３にルアーを取り付ける。
【００２３】
このように構成されたルアーでは、ルアー本体１の頭部に左右方向に貫通しているシンカ２が、水中で泳動中のルアー本体１の左右のバランスを調整し、泳動姿勢を安定させる。また、装飾部１２がルアーの外観をより魚に似せており、魚に強くアピールできる。さらに、六角柱状のシンカ２はルアー本体１内で回転しにくく壊れにくい。
【００２４】
［第２実施形態］
以下、本発明の第２実施形態について、図面を参照しつつ説明する。
【００２５】
図４に示すように、本発明の第２実施形態を採用したソフトベイトルアーは、小魚状に形成されたゴム製のルアー本体２１と、両端部がルアー本体２１から左右に突出するようにルアー本体２１の頭部に挿入されているタングステン合金製シンカ２２とを有している。
【００２６】
シンカ２２は、図５に示すように、四角柱状の柱状部３１と、柱状部３１の両端に設けられルアー本体２１から突出している１対の装飾部３２とを有している。また、柱状部３１の中央付近には、ルアー本体２１の頭部から尾部方向に向かって貫通している孔３３が設けられている。
【００２７】
なお、その他の構成は第１実施形態と同様であり、説明を省略する。
【００２８】
このルアーでは、ラインＬの一端をフック３の連結部３ａに結んで、フック３の針先側をルアー本体１の頭部側から刺込んで使用する。この際、フック３がシンカ２２の孔３３を通過するように、フック３をルアー本体２１に差し込む。
【００２９】
このように構成されたソフトベイトルアーは、第１実施形態と同様の作用効果を奏する。さらに、シンカ２２の孔３３にフック３を差し込んでフック３を取り付けることができ、フック３とシンカ２２とが互いにずれるのを抑えられる。
【００３０】
［第３実施形態］
以下、本発明の第３実施形態について、図面を参照しつつ説明する。
【００３１】
本発明の第３実施形態を採用したプラグ型ルアーは、図６及び図７に示すように、外形を魚体に似せて形成されたプラスチック製のルアー本体４１と、ルアー本体４１の頭部に左右方向に挿通された柱状のシンカ４２と、ルアー本体４１の頭部に設けられライン（釣糸）を係止し得るアイ（止め輪）４３と、ルアー本体４１の中央から頭部よりの下面及び尾部にそれぞれ設けられたアイ４４, ４５とを有している。これらアイ４４，４５にはスプリットリング４６，４７を介してフック（釣り針）４８，４９が装着されている。
【００３２】
また、ルアー本体４１は、アイ４３の下方に斜めに突出して設けられ水中での泳動姿勢を安定させるためのリップ５０を有している。ルアー本体４１は、中空の部材であって、上下に横割りされた一対の半割部材をプラスチックで成形した後、開口側で合わせて溶着又は接着により一体化して得られるものである。ルアー本体４１の頭部の左右両側面には窪み部４１ａが形成されており、さらに、左右両側面の窪み部４１ａを連通する孔４１ｂが設けられている。また、ルアー本体４１の表面には魚の鱗に似せた凹凸部を有する反射シール（図示せず）が貼り付けられ、さらにその上からラッカー等の塗布材が塗布される。
【００３３】
シンカ４２は、ルアー本体４１の孔４１ｂを貫通する四角柱状の本体部５１を有し、本体部５１の両端部には、魚の目に似せた装飾部５２がそれぞれ設けられている。この装飾部５２は、ルアー本体４１の窪み部４１ａにはめ込まれるように配置されている。このシンカ４２は、ルアー本体４１の半割部材を一体化する際に、所定の位置に配置して、ルアー本体４１と共に一体化され固定されている。
【００３４】
このように構成されたプラグ型ルアーでは、シンカ４２がルアーの左右のバランスを調整し、ルアーの泳動姿勢を安定させる。また、シンカ４２の本体部５１が四角柱型であり、ルアー本体４１内で回転しにくく壊れにくい。さらに、装飾部５２がより外形を小魚に似せ、魚に強くアピールする。なお、この装飾部５２もシンカ４２の一部であるので壊れにくい。
【００３５】
［第４実施形態］
本発明の第４実施形態を採用したプラグ型ルアーのルアー本体６１は、左右に縦割りされた一対の半割部材をプラスチックで成形した後、開口側で合わせて溶着又は接着により一体化して得られるものである。
【００３６】
図８に示すように、シンカ６２は、ルアー本体６１の孔６１ｂを貫通する柱状の本体部７１を有し、本体部７１の一端には、魚の目に似せた第１装飾部７２が固定され設けられている。また、本体部７１の他端には、第１装飾部７２と同様に魚の目に似せた第２装飾部７３が取り外し可能に設けられている。
【００３７】
本体部７１の他端は、ネジ部７１ａが形成されている。一方、第２装飾部７３は貫通しない孔７３ａを有しており、この孔７３ａの内周面には、ネジ部７１ａと螺号可能なナット部が形成されている。
【００３８】
なお、その他の構成は第３実施形態と同様であり、説明を省略する。
【００３９】
このルアーは、ルアー本体６１にユーザが、必要に応じて様々なシンカ６２を取り付けて使用するものである。ユーザは、シンカ６２の第２装飾部７３を取り外して、本体部７１をルアー本体６１の孔６１ｂに挿入した後、第２装飾部７３を本体部７１に取り付けて、シンカ６２をルアー本体６１に固定する。
【００４０】
このように構成されたルアーでは、また、また、第３実施形態と同様の作用効果を奏する。また、このシンカ６２はルアー本体６１に取り外し可能に配置されているので、必要に応じて、様々なシンカ６２を用いることができる。
【００４１】
［他の実施形態］
（ａ）シンカ部は角柱型に限定されるものではなく、例えば、円柱形等でもよい。
【００４２】
（ｂ）プラグ型ルアーとしては、例えば、ミノー型，クランクベイト型，バイブレーション型ルアー等を含めるものである。
【００４３】
【発明の効果】
本発明によれば、シンカがルアー本体の左右方向に挿通しているので、左右のバランスをうまく調整でき、泳動姿勢を安定させることができる。
【図面の簡単な説明】
【図１】  本発明の第１実施形態を採用したソフトベイトルアーの全体図。
【図２】  図１の上面図。
【図３】  図１のシンカ２の拡大図。
【図４】  本発明の第２実施形態を採用したシフト塀とルアーの全体図。
【図５】  図４のシンカ２２の拡大図。
【図６】  本発明の第３実施形態を採用したプラグ型ルアーの全体図。
【図７】  図６の上面図。
【図８】  本発明の第４実施形態を採用したプラグ型ルアーの断面図。
【符号の説明】
１，２１，４１，６１  ルアー本体
２，２２，４２，６２  シンカ
３  フック
【図１】
0003775035.tif 000002
【図２】
0003775035.tif 000003
【図３】
0003775035.tif 000004
【図４】
0003775035.tif 000005
【図５】
0003775035.tif 000006
【図６】
0003775035.tif 000007
【図７】
0003775035.tif 000008
【図８】
0003775035.tif 000009